(57)【特許請求の範囲】
【請求項１】
放送番組を受信するチューナと、
前記放送番組を録画する複数の録画処理部とを備え、前記チューナに対して複数の録画処理部を有する録画部と、
所定のチャンネルの、連続する複数の前記放送番組を異なる前記録画処理部で録画する制御部と、を備え、更に、チャンネル毎の放送番組の開始時間と終了時間の情報を取得する取得部とを備え、
前記制御部は、所定のチャンネルの、連続する複数の前記放送番組に対して、異なる録画処理部を割り当てた録画リストに基づいて、各放送番組を前記録画部で録画させるものであり、
前記制御部は、複数のチャンネルの番組表情報に基づき、所定時間中における番組の数に応じて、録画リストを更新する時間間隔を設定するにあたり、
現在時刻以降から所定の予約時間の範囲で、対象時間帯の対象チャンネルの放送番組をリストアップし、
現在の予約済み放送番組数をカウントし、
リストアップした放送番組数と、現在の予約済み放送番組数との和が、予約登録上限の範囲を超えている場合は、予約登録上限の範囲内に入る放送番組数となるまで上記所定の予約時間を減らし、
予約登録上限の範囲で、現在の予約済み放送番組に加えて前記リストアップした放送番組を予約済み放送番組に加え、前記録画リストに基づいて 放送番組を録画することを特徴とする録画装置。
【請求項２】
前記制御部は、所定のチャンネルの、第１の放送番組の終了時間と第２の放送番組の開始時間が一致する場合は、該第１の放送番組と該第２の放送番組とを異なる前記録画処理部で録画することを特徴とする請求項１に記載の録画装置。
【請求項３】
前記制御部は、前記第１の放送番組と前記第２の放送番組とのうち少なくともいずれかは、放送を受信して録画されるときの録画モードのまま録画することを特徴とする請求項２に記載の録画装置。
【請求項４】
前記取得部は所定のチャンネルの番組表情報を取得し、前記制御部は、前記所定のチャンネルの番組表情報に基づいて、所定のチャンネルの、連続する複数の放送番組を、異なる録画処理部に割り当てた録画リストに基づいて録画させることを特徴とする請求項１〜請求項３のいずれかに記載の録画装置。
【請求項５】
前記制御部は、所定時間毎に、複数のチャンネルの番組表情報に基づいて、同複数のチャンネルの各放送番組の録画リストを更新することを特徴とする請求項４に記載の録画装置。
【請求項６】
所定のチャンネルの、第１の放送番組の終了時間と第２の放送番組の開始時間が一致する場合は、前記録画リスト上で同第１の放送番組と同第２の放送番組とを異なる録画処理部に割り当てることを特徴とする請求項１〜請求項５のいずれかに記載の録画装置。
【請求項７】
前記録画リストには、録画モードの情報と録画完了後に録画モードを変換するか否かの情報とを含むことを特徴とする請求項１〜請求項６のいずれかに記載の録画装置。
【請求項８】
放送番組を受信するチューナと、前記チューナにて前記放送番組を録画する録画処理部を、前記チューナに対して複数有する録画部と、チャンネル毎の放送番組の開始時間と終了時間の情報を取得する取得部と、所定のチャンネルの、連続する複数の前記放送番組に対して、異なる前記録画処理部を割り当てた自動録画リストに基づいて、各放送番組を前記録画部で録画する制御部とを備えた録画装置で放送番組を録画する録画方法であって、
前記制御部は、複数のチャンネルの番組表情報に基づき、所定時間中における番組の数に応じて、録画リストを更新する時間間隔を設定するにあたり、
現在時刻以降から所定の予約時間の範囲で、対象時間帯の対象チャンネルの放送番組をリストアップする工程と、
現在の予約済み放送番組数をカウントする工程と、
リストアップした放送番組数と、現在の予約済み放送番組数との和が、予約登録上限の範囲を超えている場合は、予約登録上限の範囲内に入る放送番組数となるまで上記所定の予約時間を減らす工程と、
予約登録上限の範囲で、現在の予約済み放送番組に加えて前記リストアップした放送番組を予約済み放送番組に加える工程とを実行することを特徴とする録画方法 。
【請求項９】
録画が完了した放送番組を前記自動録画リストから削除する工程を実施することを特徴とする請求項８に記載の録画方法。
【請求項１０】
所定の予約時間経過後に、前記自動録画リストの更新を行う工程を実施することを特徴とする請求項８または請求項９に記載の録画方法。
【請求項１１】
所定の予約時間経過後に、該所定の予約時間を初期値に戻す工程を実施することを特徴とする請求項８〜請求項１０のいずれかに記載の録画方法。
【発明の詳細な説明】
【技術分野】
【０００１】
本発明は、チューナと複数の録画系統とを有する録画装置および録画方法に関する。
【背景技術】
【０００２】
複数の放送番組は、本来は個別に録画するが、放送番組が連続していると、放送番組の開始時と終了時に要する処理の必要上、放送番組の間に録画できない期間が生じる。
一方、近年、常時録画、ループ録画などと呼ばれる機能を搭載した製品が多く発売されている。このような製品では、チャンネルを指定しておくと、記憶容量の許す限りで全ての放送番組を録画しており、内部的には各チャンネルを連続して録画しており、放送番組間に録画できない期間は生じない。なお、放送番組とは、放送をする事項の種類、内容、分量及び配列をいう。
【０００３】
この他、間断なく相連続する放送番組を録画するものとして、特許文献１および特許文献２に開示するものが知られている。
特許文献１に開示された発明では、連続する２つの放送番組の予約があれば、２つの放送番組を１つのタイトルとして連続して録画し、管理情報を用いて、再生時に２つの番組があると認識させている。
特許文献２に開示された発明では、連続予約録画時の後続予約録画の確実な実行を実現するために、２つの録画装置を使用して実現している。
【先行技術文献】
【特許文献】
【０００４】
【特許文献１】特開2009-224024号公報
【特許文献２】特開2001-351283号公報
【発明の概要】
【発明が解決しようとする課題】
【０００５】
常時録画、ループ録画などと呼ばれる機能を搭載した製品では、同時動作機能（例えば常時録画と放送番組の配信を同時に行う等）を拡張するには、専用の部品を使用することにもなり、コストアップとなっている。
また、ループ録画した場合、チャンネル毎に一連のデータが生成される。各コンテンツは、放送番組ごとにタイトルが分かれていないので、希望の放送番組を保存したり、ダビングしたりするのに手間と時間がかかっている。
【０００６】
一方、自動的に行われるループ録画ではなく、例えば手動で指定チャンネルの放送番組すべてを予約録画すると、あたかも常時録画しているかのようになる。このようにすれば、放送番組ごとにタイトルが分かれている状態にできるが、前の放送番組の録画を少し早く停止して、次の放送番組の録画準備をすることにならざるを得ず、録画番組の尻切れが発生する。一部でも録画していない状態が発生する以上、常時録画(ループ録画)とはいえない。
【０００７】
さらに、殆どの製品では予約録画の可能な数に制限があり、実質的には、全ての放送番組を録画予約設定することができない。
また、特許文献１に示すものでは、ループ録画と同様、個別の放送番組毎に録画していないので、希望の放送番組を保存したり、ダビングしたりするのに手間と時間がかかる。特許文献２に示すものでは、２つの録画装置を使用しており、コスト面で現実的ではない。
【０００８】
本発明は、放送番組ごとにタイトルが分かれていて、且つ、録画番組の尻切れのない、予約制限数等に縛られることのない常時録画(ループ録画)を実現する。
【課題を解決するための手段】
【０００９】
本発明の録画装置は、チューナと複数の録画処理部とを有する録画装置において、所定のチャンネルの連続する複数の放送番組を、異なる前記録画処理部で録画する構成としてある。
複数の録画処理部を内部に備えている場合に、あるチャンネルの連続する複数の放送番組を録画する際には、異なる録画処理部で録画する。先の放送番組を一方の録画処理部で先頭から最後まで録画する。異なる録画処理部を使用することで、後の放送番組も先頭から最後まで録画する。これにより、放送番組の間に録画不可能な期間が発生しない。
【００１０】
一例として、前記録画装置では、前記チューナに加え、前記チューナに対して複数の録画処理部を有する録画部と、チャンネル毎の放送番組の開始時間と終了時間の情報を取得する取得部とを更に備え、前記制御部は、所定のチャンネルの、連続する複数の前記放送番組に対して、異なる録画処理部を割り当てた録画リストに基づいて、各放送番組を前記録画部で録画させる構成としても良い。
【００１１】
前記構成において、前記チューナは、所定の放送番組を受信可能であり、録画部は、一のチューナに対して複数の録画系統を有している。取得部が、チャンネル毎の放送番組の開始と終了の情報を取得すると、所定のチャンネルの相連続する放送番組に対して異なる複数の録画系統を割り当てて録画する録画リストを生成する。制御部が前記録画リストに基づいて各放送番組を前記録画部で録画させる。
【発明の効果】
【００１２】
本発明の録画装置によれば、コストアップを回避しつつ、相連続する放送番組間に録画不可能な期間が生じないように録画することもできる。
【図面の簡単な説明】
【００１３】
【図１】録画装置のブロック図です。
【図２】録画リストの画面表示を示す図である。
【図３】自動予約の画面表示を示す図である。
【図４】自動予約処理のフローチャートである。
【図５】予約登録確認処理のフローチャートである。
【図６】録画系統が割り当てられた状態を模式的に示す図である。
【図７】後変換処理を前提として録画系統が割り当てられた状態を模式的に示す図である。
【図８】後変換処理のフローチャートである。
【図９】後変換処理を前提として録画系統が割り当てられた状態を模式的に示す図である。
【図１０】放送番組絞込処理のフローチャートである。
【発明を実施するための形態】
【００１４】
（第１実施形態）
以下、図面にもとづいて本発明の実施形態を説明する。
図１は、本発明の一実施形態にかかる録画装置および録画方法が適用される録画装置の一種であるハードディスクレコーダーをブロック図により示している。
【００１５】
本ハードディスクレコーダー１０は、地上波、衛星放送波などのテレビ放送、ラジオ放送、データ放送を受信するチューナ１１ａ〜１１ｃと、放送内容に応じたデジタルデータを記録再生するハードディスクドライブ１２と、ユーザが操作入力を行うための操作パネル１３と、これらを制御するとともに外部のモニタ２０に画像や音声を出力する制御部１４を備えている。また、制御部１４は、主制御回路１４ａに加えて、ハードディスクドライブ１２に対してデジタルデータの記録再生を行う際に使用するデコーダ／エンコーダ１４ｂ〜１４ｄと、データに基づいて映像や音声の出力に使用する信号出力回路１４ｅなどを備えている。また、各種の設定値の記憶のために記憶回路１４ｆを備えている。この他、ネットワークに接続するためのネットワークインターフェイスを備えていたり、ブルーレイディスクドライブなどを備えていても良い。
【００１６】
制御部１４の各機能は、独立した回路構成で実現する場合もあるが、各機能に対応する専用のＬＳＩを備えつつＣＰＵがそれらのＬＳＩを制御して実現していることが多い。このため、ＣＰＵおよびそのプログラムを実施するためのＲＯＭやＲＡＭなどを備えているとともに、各機能はハードウェアとソフトウェアとによって実現されていることになる。この他、ユーザが操作を指示するリモコン１５を備えている。
【００１７】
主制御回路１４ａは、入力用のトランスポートストリームラインとして８入力経路ＴＳ１〜ＴＳ８を備えており、３つのチューナ１１ａ〜１１ｃに対してそれぞれ２つずつを割り当てて入力できるようにしてある。具体的には、チューナ１１ａのデジタル出力信号はトランスポートストリームラインＴＳ１，ＴＳ２に入力され、チューナ１１ｂのデジタル出力信号はトランスポートストリームラインＴＳ３，ＴＳ４に入力され、チューナ１１ｃのデジタル出力信号はトランスポートストリームラインＴＳ５，ＴＳ６に入力されている。主制御回路１４ａは、入力用の各トランスポートストリームラインに対してデコーダ／エンコーダ１４ｂ〜１４ｄを内部的に接続することで、デジタルデータをデコードしたり、アナログデータをエンコードすることが可能である。主制御回路１４ａは、デコードしたデジタルデータをそのままあるいは別の記録方式にエンコードしてハードディスクドライブ１２に記録させることで録画を行い、ハードディスクドライブ１２に保存されているデジタルデータを読み出し、デコードしてアナログデータとし、信号出力回路１４ｅを介してビデオ信号、音声信号、データ信号をモニタ２０に出力させることで再生を行う。主制御回路１４ａは、入力されたデジタルデータを録画することなく、デコーダ／エンコーダ１４ｂ〜１４ｄにてデコードしてビデオ信号、音声信号、データ信号をモニタ２０に出力させることも可能である。なお、デジタル放送のトランスポートストリームをデスクランブルする処理は主制御回路１４ａ内にて行うが、外部にデスクランブラーを備えても良い。主制御回路１４ａは、内部にＣＰＵやＲＯＭやＲＡＭなどのプログラムの実行に必要な構成を備えており、所定のプログラムを実行している。
【００１８】
以上より、チューナ１１ａ〜１１ｃは、所定の放送番組（以下、単に番組と呼ぶ）を受信するチューナに相当する。チューナ１１ａ〜１１ｃが接続されているトランスポートストリームラインＴＳ１〜ＴＳ６を主制御回路１４ａにてデスクランブルし、デコーダ／エンコーダ１４ｂ〜１４ｄにてそのままあるいは別の記録方式にエンコードし直した後、ハードディスクドライブ１２に記録する構成が録画系統（録画処理部）に相当する。この場合、主制御回路１４ａが内部的あるいは外部的にチューナ１１ａ〜１１ｃが接続されたトランスポートストリームラインをいずれのデコーダ／エンコーダ１４ｂ〜１４ｄに接続するかによって録画系統が決定される。本実施例においては、３つのチューナ１１ａ〜１１ｃと、３つのデコーダ／エンコーダ１４ｂ〜１４ｄを備えている。これによって１つのチューナに１つの録画系統が備えられているというものではなく、１つのチューナをいずれかデコーダ／エンコーダに接続することも可能であるため、実際には、一のチューナに対して複数の録画系統を有する構成となっている。ただし、デフォルトで各チューナ１１ａ〜１１ｃとデコーダ／エンコーダ１４ｂ〜１４ｄとを対応づけてある。むろん、録画系統は任意に変更可能である。
【００１９】
図２は、録画リストの画面表示を示す図である。
録画リストは、主制御回路１４ａが録画を行なう情報源であり、記憶回路１４ｆあるいはハードディスクドライブ１２に保存している。この例では、録画リストは、最大で６０個の録画予約内容を保存することができる。一つの録画予約内容は、チューナ１１ａ〜１１ｃで受信する放送波のチャンネル番号Ｌ１、録画対象となる番組名（あるいはそのＩＤ）Ｌ２、開始日Ｌ３、開始時間Ｌ４、終了時間Ｌ５、録画系統Ｌ６、指定モードＬ７、実モードＬ８、変換要否Ｌ９の項目を備えている。チャンネル番号Ｌ１、番組名（あるいはそのＩＤ）Ｌ２、開始日Ｌ３、開始時間Ｌ４、終了時間Ｌ５については、この名称とおりの内容である。録画系統Ｌ６は、３つのデコーダ／エンコーダ１４ｂ〜１４ｄのいずれを経由した録画を行なうかを表す。指定モードＬ７は、録画予約の設定がＤＲモードであるか、ＡＶＣモードであるかを表す。実モードＬ８は、録画予約の設定にかかわらず、放送を受信して録画されるときの録画モードを表す。後述するように、録画時は負担の少ないＤＲモードで録画しておき、後で指定された録画モードに変換する場合があるからである。この変換の要否を表すものが変換要否Ｌ９である。詳細については、後述する。
【００２０】
図３は、自動予約の画面表示を示す図である。
この画面は、タイムシフト録画やループ録画と呼ばれる所定のチャンネルの所定時間帯に放送される全ての番組を録画しておいて、後でいつでも見れるようにするための設定画面である。なお、全ての番組を録画するといっても、録画容量には制限があるので、基本的には制限容量の範囲で、先入れ先出しの要領で古い番組から削除していく。
【００２１】
この画面表示の最も上部には、「自動予約」の見出しと、その右に「オン」と「オフ」を切り替えるスイッチＭ１が表示されており、その下方には、「対象チャンネル」と「対象時間帯」と「対象絞込」の三つの大きな項目を表示している。「対象チャンネル」と「対象時間帯」は必須の設定項目であるが、「対象絞込」の項目の右に「オン」と「オフ」を切り替えるスイッチＭ２が表示され、任意の設定項目となっている。
【００２２】
自動予約を行うものとしてスイッチＭ１を「オン」に設定した場合、必須の設定項目である対象チャンネルを選択する。画面には、現在、受信可能な全てのチャンネルをラベルとして表示しつつ、選択するか否かのラジオボタンを備えた選択チャンネル群Ｍ３が表示される。ユーザは、この選択チャンネル群Ｍ３の中で、タイムシフト録画したいチャンネルの先頭のラジオボタンにチェックマークを付ける。タイムシフト録画ではハードディスクドライブ１２の中に大量の記憶領域を必要とする。この記憶領域は選択した対象チャンネルの数に比例する。このため、ユーザが対象チェンネルを絞り込めるようにラジオボタンで選択できるようにしてある。
【００２３】
タイムシフト録画は、概ね指定された時間帯にわたって連続して録画するものであるから、ハードディスクドライブ１２で使用する記憶領域も時間帯の長短に概ね比例する。このため、ユーザが対象時間帯を絞り込めるように開始時間を設定する入力ボックスＭ４と終了時間を設定する入力ボックスＭ５を備えている。
以上より、ユーザは、自動予約を行う場合は、スイッチＭ１で自動予約の機能を「オン」にしたら、選択チャンネル群Ｍ３で対象チャンネルを選択し、入力ボックスＭ４で開始時間を設定し、入力ボックスＭ５で終了時間を設定する。
【００２４】
従来は、これらの情報だけに基づいて、ハードディスクドライブ１２に対して選択した対象チャンネルの放送番組を開始時間から終了時間まで連続して録画していた。しかし、本発明では、後述するように、対象時間帯における、選択した対象チャンネルの全ての番組を対象として、録画リストを生成し、録画リストの内容に基づいて録画予約の実行として録画を行う。個別の番組に録画予約を設定し、一つのチャンネルの連続する複数の番組を異なる録画系統で開始時間から終了時間まで録画するので、頭切れや尻切れとなることはない。
【００２５】
図４は、自動予約処理のフローチャートである。
自動予約処理では、主制御回路１４ａは、ステップＳ１００にて、自動予約設定がされているか判断する。自動予約設定の有無は、図３に示すスイッチＭ１で設定しておいた内容を読み出して判断する。
次に、ステップＳ１０５にて、主制御回路１４ａはＸとＹを初期値に戻す。ここで、Ｘは、何時間おきにこの自動予約処理を繰り返すかというパラメータであり、Ｙは自動予約が開始されたときに何時間先までの番組を自動予約するかというパラメータである。一例として、ＸとＹを共に６時間としておく。
【００２６】
ステップＳ１１０では、現在時刻以降からＹ時間の範囲で、対象時間帯の対象チャンネルの番組を確認する。その処理の前提として、主制御回路１４ａは番組表を取得しておく。番組表は各チャンネル毎に放送データのトランスポートパケットの中に含められており、デスクランブルする時点で番組表のデータを保存しておき、一連の番組表のデータとして再構成している。自動予約処理とは並行して常にこの処理は行われている。
【００２７】
対象時間帯は、入力ボックスＭ４，Ｍ５にて設定された開始時間と終了時間との間である。
通常は、開始時間が０４：００で、終了時間が２３：３０であるというように設定する。しかし、終了時間が２４：００を超えることも可能である。例えば０２：００であれば２６：００というように２４時間を加算して対象時間帯を判断すればよい。すなわち、開始時間が０４：００で終了時間が０２：００であるなら、開始時間は０４：００のまま、終了時間を２６：００とする。
【００２８】
この時点では、現在時刻以降からＹ時間の範囲で、対象時間帯の対象チャンネルの番組を全てリストアップする。
ステップＳ１１５は、第１実施形態においては実行しないので、説明を省略する。
主制御回路１４ａは、ステップＳ１２０にて、リストアップしたＹ時間分の番組数をカウントし、ステップＳ１２５にて、現在の予約済み番組数をカウントする。そして、ステップＳ１３０では、リストアップしたＹ時間分の番組数と、現在の予約済み番組数との和が、予約登録上限の範囲内に納まっているか判断する。なお、予約済み番組と今回リストアップされたＹ時間分の番組とが重複しているものを先に削除しておく。
【００２９】
前記和が予約登録上限の範囲を超えている場合は、リストアップしたＹ時間分の番組を全て登録できなくなる。このため、範囲内に入っていない場合は、ステップＳ１３５にて、予約登録上限の範囲内に入る番組数となるまでＹを減らす。
具体的には、Ｙから１を減算し、ステップＳ１１０〜Ｓ１３０までを繰り返す。場合によっては、１だけ減らせば良い場合もあるし、２，３と減らさないといけない場合も生じる。
【００３０】
予約登録上限の範囲内に入ったら、主制御回路１４ａは、ステップＳ１４０にて、このＹ時間分の番組を全て予約登録する。この時点で登録される内容は、番組表から得られるチャンネル番号Ｌ１、番組名Ｌ２、開始日Ｌ３、開始時間Ｌ４、終了時間Ｌ５に加え、各チューナ１１ａ〜１１ｃに対して初期値として対応している録画系統Ｌ６と、デフォルトの指定モードとしてＤＲモードを指定モードＬ７とする。実モードＬ８と、変換要否Ｌ９については、空白のままとしておく。なお、チューナ１１ａ〜１１ｃの数はタイムシフト録画できるチャンネル数に対応している。
【００３１】
ステップＳ１４５では、「Ｘ＞Ｙ」となっているか判断し、判断結果が肯定ならば、ステップＳ１５０にて、ＸをＹ以下に変更する。Ｙ時間分の番組を録画リストに加えた後、Ｙよりも大きいＸ時間後に再度自動予約処理を開始すると、自動予約されない時間帯が生じてしまうため、これを避けるためである。
このようにしてＸを調整した後、ステップＳ１５５では、以上の自動予約処理からＸ時間経過したか判断し、経過していなければ、ステップＳ１６０にて待機し、Ｘ時間経過したら、再度、ステップＳ１００以下の処理を実行する。
【００３２】
このように、本実施形態では、Ｘ時間というように、所定時間毎に、複数のチャンネルの番組表情報に基づいて、同複数のチャンネルの各番組を録画する録画リストを作成することになる。
以上のようにすれば、Ｘ時間毎に、向こうＹ時間分の番組を全て録画予約することが可能になる。また、番組の数が多すぎる場合は予約登録上限を超えてしまいかねないが、自動予約登録をするときに超えないようにＹ時間を調整しており、予約漏れはなくなる。例えば、予約登録上限が６０、予約済み番組数が３０、最初のＹ時間分の番組数が４０であるとすれば、予約登録上限の６０を超えてしまう。しかし、Ｙ時間分の番組数が３０以下となるまでＹ時間を減らすことで、予約登録上限の６０を超えない範囲で最大の数の番組を録画予約することができる。さらに、次に自動予約処理を実行するのはＹ時間を超えない範囲なので、次回、自動予約処理するときに番組を取りこぼしてしまうということもない。
【００３３】
このように、本実施形態では、Ｙ時間を調整することにより、複数のチャンネルの番組表情報に基づき、所定時間中における番組の数に応じて、録画リストを作成する時間間隔を設定している。
なお、以上の処理方法は、自動録画リストを作成する録画方法を構成し、具体的には、Ｓ１１０，Ｓ１１５の処理は、現在時刻以降から所定の予約時間の範囲で、対象時間帯の対象チャンネルの番組をリストアップする工程に相当し、Ｓ１２５の処理は、現在の予約済み番組数をカウントする工程に相当し、Ｓ１３０の処理は、リストアップした番組数と、現在の予約済み番組数との和が、予約登録上限の範囲を超えている場合は、予約登録上限の範囲内に入る番組数となるまで上記所定の予約時間を減らす工程に相当し、Ｓ１３５，Ｓ１４０の処理は、予約登録上限の範囲で、現在の予約済み番組に加えて前記リストアップした番組を予約済み番組に加える工程に相当し、Ｓ１４５〜Ｓ１６０の処理は、上記所定の予約時間の範囲内の所定時間が経過するのを待機して自動録画を繰り返す工程に相当する。
次に、図５は、予約登録確認処理のフローチャートである。
チューナ１１ａ〜１１ｃが３つ備えられている場合に、最大、３チャンネルのタイムシフト録画は可能であるが、現実にはそのような設定をすることはなく、個別に録画予約して実行できるように対象チャンネル数を減らすのが通常である。以下、一例としてチューナ１１ａで、２チャンネルのタイムシフト録画を設定してあるとする。
【００３４】
図５の予約登録確認処理は、自動予約で各番組を自動予約した場合に、頭切れや尻切れが生じないようにする。
主制御回路１４ａは、ステップＳ２００にて、録画リストのチャンネル毎に開始日時で録画予約内容を整列し、ステップＳ２０５にて、前後の番組で前の番組の終了時間と後の番組の開始時間が一致するものがあるかを確認する。むろん、自動予約した場合は、当然に一致する。しかし、例えば自動予約でない場合でも、この予約登録確認処理をすることで頭切れや尻切れが生じないようにできるため、この予約登録確認処理をする。
【００３５】
一致する場合は、主制御回路１４ａは、ステップＳ２１０にて、録画系統が連続しないように録画系統の指定を変える。一例として、順番に切り替えるようにすればよい。
図６は、録画系統が割り当てられた状態を模式的に示す図である。
例えば、ＡＭ７：００〜ＡＭ１０：００の範囲で、チューナ１１ａで受信するチャンネルで番組Ａ〜番組Ｃが連続しているとする。図４に示す自動予約処理をした場合、番組Ａ〜番組Ｃには、チューナ１１ａにデフォルトで対応づけられている録画系統、デコーダ／エンコーダ１４ｂが割り当てられている。しかし、デコーダ／エンコーダ１４ｂは録画終了時に所定の処理を行わなければならず、本来の終了時刻まで録画したときに、録画終了時の処理の実行を開始すると、次の番組の録画開始時に録画を開始できず、この場合は頭切れとなる。頭切れが起きないようにするには、先の番組の本来の終了時刻前に録画終了時の処理を開始しなければならず、尻切れが生じる。
【００３６】
しかし、番組が相連続し、前の番組の終了時間と後の番組の開始時間が一致する場合に、ステップＳ２１０にて、録画系統が連続しないように録画系統の指定を変えると、前の番組の終了時刻まで録画を実行し、終了時刻からその録画系統で録画終了時の処理を開始しても、後の番組の開始時刻からは別の録画系統で録画の開始をすることが可能であり、頭切れも尻切れも生じない。
【００３７】
図６に示すように、番組Ａ、番組Ｂ、番組Ｃは、自動予約処理において録画系統１が割り当てられるのだが、予約登録確認処理を実行すると、番組Ａと番組Ｃは録画系統１が割り当てられたままとなるものの、番組Ｂについては、録画系統が連続しないように録画系統を録画系統２に変更されている。番組が連続する場合は、二つの録画系統を順番に入れ替えていけば良い。図２の録画リストでは、割り当てられる録画系統が録画系統Ｌ６に設定されているので、具体的には、番組Ｂの録画系統Ｌ６の欄を変更することになる。
【００３８】
録画リストは、このように設定され、以降、主制御回路１４ａは、この録画リストの開始日と開始時間に基づいて、現在時刻が一致したら所定の録画系統を使用して録画予約を実行する。この処理が録画リストに基づいて各番組を録画部で録画させる処理に相当し、制御部を構成する。
例えば、主制御回路１４ａは、録画リストの録画内容に基づいて、チューナ１１ａに所定のチャンネルを受信させる。ここで、出力されるＴＳはトランスポートストリームラインＴＳ１とトランスポートストリームラインＴＳ２とを使用して入力されるが、最初の番組については、トランスポートストリームラインＴＳ１を使用してデコーダ／エンコーダ１４ｂに入力させ、変換後のデジタルデータをハードディスクドライブ１２に記録させる。続く次の番組では録画系統が変更されており、主制御回路１４ａは、チューナ１１ａはそのまま同じチャンネルを受信させたまま、その出力をトランスポートストリームラインＴＳ２を使用してデコーダ／エンコーダ１４ｃに入力させ、変換後のデジタルデータをハードディスクドライブ１２に記録させる。この結果、一のチャンネルの相連続する番組に対して異なる複数の録画系統を割り当てて録画することができる。
【００３９】
以上のように、ステップＳ２００にて、録画リストのチャンネル毎に開始日時で録画予約内容を整列し、ステップＳ２０５にて、前後の番組で前の番組の終了時間と後の番組の開始時間が一致するものがあるかを確認しており、この処理においてチャンネル毎の番組の開始と終了の情報を取得しているので、これらが取得部に相当する。チャンネル毎の番組の開始と終了の情報を取得する手法は様々であり、これらのステップＳ２００，Ｓ２０５に限られるものではない。
【００４０】
次に、ステップＳ２０５にて、前後の番組で前の番組の終了時間と後の番組の開始時間 が一致するものがあると判断されれば、ステップＳ２１０にて、録画系統が連続しないように録画系統の指定を変えており、この処理において一のチャンネルの相連続する番組に対して異なる複数の録画系統を割り当てて録画する録画リストを生成しているので、録画リスト生成部に相当する。録画リストへの反映の手法は各種の手法を採用可能であり、これらのステップＳ２０５，Ｓ２１０に限られるものではない。
【００４１】
一のチャンネルの相連続する番組に対して異なる複数の録画系統を割り当てるために、本実施形態では、前記一のチャンネルの番組表情報に基づき、一のチャンネルの相連続する別個の番組を、別個の録画系統を使用して録画する録画リストを作成している。そして、同録画リスに基づいて各番組を録画させている。この際、所定のチャンネルにおいて録画対象となる相連続する別個の番組の開始時間と終了時間とを取得する工程と、相連続する別個の番組の開始時間と終了時間に基づいて異なる録画系統を使用して、それぞれの番組の録画リストを生成する工程とを実施している。
本実施形態では、自動録画予約によって各番組を個別に録画予約しているので、録画された状態では、番組ごとにタイトルが分かれている。これは、従来の常時録画(ループ録画)では実現できなかったことである。
【００４２】
また、録画系統を切り替えることにより、録画番組の尻切れや頭切れもない。
さらに、自動予約処理の時間を自動的に調整することにより、予約制限数等に縛られることもなくしている。
（実施形態２）
録画のモードとして、ＤＲモードやＡＶＣモードなどを選択可能である。ＤＲモードは放送された全てのデータを含むそのままの録画形態であるが、必ずしも全てのものではなく、一部のデータを意図的に省くものも本実施形態ではＤＲモードと呼ぶことにする。
【００４３】
一方のＡＶＣモードは、一例としてビデオ圧縮モード自体を変更してよりデータ量を少なくするような処理を指すこととする。言い換えると、放送中であれば２つ以上のデコーダ／エンコーダ１４ｂ〜１４ｄが必要になる。
自動予約ではない場合、ユーザが番組表を利用して個別に録画予約を行うことがあり、この場合に録画のモードとしてＤＲモードではなく、ＡＶＣモードを指定することもある。この場合、図２に示す録画リストの指定モードＬ７の項目として記録される。
【００４４】
録画モードを指定する場合、図４に示すフローチャートにおいて実施形態１では実行しなかった、ステップＳ２１５，Ｓ２２０の処理を実行する。前後の番組で指定モードが共にＡＶＣモードとなってい状態をここではＡＶＣのダブル予約と呼ぶ。
ステップＳ２００〜Ｓ２１０において、前後の番組で前の番組の終了時間と後の番組の開始時間が一致するものがあるか判断するとともに、ステップＳ２１５では、前後の番組で共に指定モードがＡＶＣモードとなるＡＶＣのダブル予約の状態が生じていないか判断する。
【００４５】
３つのデコーダ／エンコーダ１４ｂ〜１４ｄの場合、前後の番組でともに２つのデコーダ／エンコーダ１４ｂ〜１４ｄを使用することは不可能であるから、前後の番組でＡＶＣのダブル予約はできない。
このため、ＡＶＣのダブル予約の状態が生じていれば、ステップＳ２２０にて、番組の実モードＬ８の内容をＡＶＣからＤＲに変更して設定するとともに、変更要否Ｌ９の内容を要にする。録画のモードを指定できる場合、録画時に主制御回路１４ａは、指定モードＬ７のみならず、実モードＬ８を参照し、実モードＬ８を優先して録画のモードに対応した処理を実行する。むろん、このままではユーザの意思に反するので、後述する後変換処理を実行する。
【００４６】
図７は、後変換処理を前提として録画系統が割り当てられた状態を模式的に示す図である。図６に示す例と同様の条件で、番組Ａ〜番組Ｃの録画の指定モードがＡＶＣあるときは、録画系統の変更に加えて、図７に示すように、指定モードＬ７を参照しつつ、実モードＬ８としてＤＲモードに変更されている。これにより、録画系統の重複に加えてＡＶＣモードの連続録画は回避される。
【００４７】
図８は、後変換処理のフローチャートである。
ユーザがＡＶＣモードを指定していたのに、放送時にはＤＲモードで録画が実行された場合には、この後変換処理を実行することでユーザの意思が反映される。
この後変換処理では、主制御回路１４ａが、ステップＳ３００にて、「録画中、再生中、録画開始待ち」の状態であるか否かを判断する。これらの処理中であれば、変換処理を実行することでユーザの操作を反映できない場合があるからである。従って、これらの処理中でないタイミングを見計らって変換処理を実行することになる。
【００４８】
「録画中、再生中、録画開始待ち」の状態でないなら、ステップＳ３０５にて、録画リストの変換要否Ｌ９の内容を見ていき、ＡＶＣへの変換が必要なＤＲ録画済みの番組があるか判断する。必要があるのは変換要否Ｌ９の内容が「要」となっているものである。変換要否Ｌ９の内容が「要」となっているものがあれば、ステップＳ３１０にて、ＤＲ録画済みの番組をＡＶＣへ変換する。通常は、録画完了時に録画リストの内容を削除するが、変換要否Ｌ９の内容が「要」となっているものついては、変換後に録画リストの内容を削除する。
【００４９】
（実施形態３）
実施形態２では、ＡＶＣのダブル予約があれば、対象となる全ての録画予約でＤＲモードとしているが、実施形態３として、効率的な録画のための変形例を説明する。
実施形態３では、上述したステップＳ２２０に代えて、ステップＳ２２５を実施する。
このステップＳ２２５では、先の番組を優先してＡＶＣの指定を残し、後の番組の実モードＬ８の内容をＡＶＣからＤＲに変更して設定する。
【００５０】
図９は、この変更例において録画系統が割り当てられた状態を模式的に示す図である。図６に示す例と同様の条件で、番組Ａ〜番組Ｃの録画の指定モードがＡＶＣあるときは、録画系統の変更に加えて、図９に示すように、先の番組については優先させてＡＶＣの指定を残しているが、後の番組では指定モードＬ７を参照しつつ、実モードＬ８としてＤＲモードに変更されている。これにより、ＡＶＣモードでの録画を実行可能な状態ではできるだけＡＶＣモードでの録画を実行しておくことができ、後変換による変換処理を減らすことで、ハードディスクドライブ１２に記録されている内容をできるだけ早い時点でユーザの指定に沿った録画内容とさせることができる。
【００５１】
（実施形態４）
自動予約にあたり、対象チャンネルと、対象時間帯の指定に加えて、対象絞り込みを実行するようにしてもよい。
図３には、上述したように対象チャンネルと対象時間帯の指定に加えて、対象絞り込みの入力ボックスＭ６〜Ｍ９が表示され、絞込を実行できるようになっている。
まず、「対象絞込」の項目の右のスイッチＭ２で「オン」に切り替えると、カテゴリー、ジャンル、出演者、キーワードの各入力ボックスＭ６〜Ｍ９が表示され、設定可能となる。ユーザは、カテゴリーとして、「ドラマ」を入力ボックスＭ６で選択し、さらにその中のジャンルとして「国内ドラマ」を入力ボックスＭ７で選択することができる。カテゴリーは、他にも「スポーツ」であったり「映画」などといったものが選択可能であり、スポーツのカテゴリーには、さらにジャンルとして「サッカー」であったり「野球」などといったものが選択可能である。
【００５２】
また、出演者として、任意の氏名や愛称を入力ボックスＭ８で入力することが可能であり、他にもフリーのキーワードを入力ボックスＭ９で入力することが可能である。
ユーザが「対象絞込」の項目の右のスイッチＭ２で「オフ」に切り替えてある場合は同ステップＳ１１５の番組絞込処理は実行しないが、同スイッチＭ２で「オン」に切り替えておいた場合は、図４に示すステップＳ１１５の番組絞込処理を実行する。
【００５３】
図１０は、番組絞込処理のフローチャートである。
番組絞込処理では、ステップＳ４００にて、対象絞込が「オン」であると判断されると以下の処理を実行する。
ステップＳ４０５では、各対象番組に対応する番組ガイド情報を取得する。番組ガイド情報は番組表に含まれている情報であり、ステップＳ１１０にてむこうＹ時間分のリストアップされた個々の番組が、入力ボックスＭ６〜Ｍ９で指定される条件に一つでも合致するか判断することになる。
【００５４】
ステップＳ４１０では、対象番組が選択条件に合致しているものだけを残す。すなわち、ステップＳ４０５の処理で、合致するか否かを判断した結果、合致した番組は残し、一つも合致しない番組は対象から除外するというものである。各番組は、チャンネル番号Ｌ１、番組名Ｌ２、開始日Ｌ３、開始時間Ｌ４、終了時間Ｌ５の各情報に加え、番組表にカテゴリーやジャンル、出演者は番組説明といった情報が含まれているため、入力ボックスＭ６〜Ｍ９で指定した情報での絞り込みが可能である。
【００５５】
絞り込むための情報は入力ボックスＭ６〜Ｍ９の内容に限られず、追加や変更も可能である。
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００５６】
１０…ハードディスクレコーダー、１１ａ〜１１ｃ…チューナ、１２…ハードディスクドライブ、１３…操作パネル、１４…制御部、１４ａ…主制御回路、１４ｂ〜１４ｄ…デコーダ／エンコーダ、１４ｅ…信号出力回路、１４ｆ…記憶回路、１５…リモコン、２０…モニタ。
【図１】
0006701776.tif 000002
【図２】
0006701776.tif 000003
【図３】
0006701776.tif 000004
【図４】
0006701776.tif 000005
【図５】
0006701776.tif 000006
【図６】
0006701776.tif 000007
【図７】
0006701776.tif 000008
【図８】
0006701776.tif 000009
【図９】
0006701776.tif 000010
【図１０】
0006701776.tif 000011